(57)【特許請求の範囲】
【請求項１】
コネクタハウジングに装着されて前記コネクタハウジングから導出された電線を目的の方向に向けながら囲むカバー本体と、
前記カバー本体に一体形成されて前記電線を挿通する径の異なる複数種のコルゲートチューブの端部がそれぞれ固定される半円筒状のコルゲートチューブ固定部と、
前記コルゲートチューブ固定部の内周方向中央にてその内周方向に沿って突設されて小径の前記コルゲートチューブの外周溝に係合する第１係合突条と、
前記第１係合突条よりも大きい円弧径で前記コルゲートチューブ固定部の内周方向両端側にてその内周方向に沿って突設されて大径の前記コルゲートチューブの外周溝に係合する少なくとも二対の第２係合突条と、
前記コルゲートチューブ固定部の内周側に前記コルゲートチューブを緊締固定する結束部材と、を備え、
前記第１係合突条と前記第２係合突条とが、前記コルゲートチューブ固定部の同一内周方向に沿って突設され、且つ前記コルゲートチューブの軸線方向における異なる複数箇所にてその軸線方向において離散的にそれぞれ平行に設けられることを特徴とする電線カバー。
【発明の詳細な説明】
【技術分野】
【０００１】
本発明は、コネクタハウジングから導出された電線を目的の方向に向けながら囲む電線カバーに関する。
【背景技術】
【０００２】
コルゲートチューブをコネクタハウジングに固定するためのカバーを備えたコネクタが知られている（例えば、特許文献１等参照）。
図５に示すように、この種のコネクタ５０１は、雌ハウジング（コネクタハウジング）５０３からは、３本の電線５０５が引き出されており、引き出された電線５０５をコルゲートチューブ５０７によって取り囲んでいる。コルゲートチューブ５０７は、雌ハウジング５０３に対してカバー５０９により固定される。カバー５０９は、上方へ開放するとともにその開放部分からコルゲートチューブ５０７を収容可能なカバー本体５１１と、カバー本体５１１の開放部分を閉止可能な蓋部５１３とから構成される。カバー本体５１１のうち、コルゲートチューブ５０７が収容されるコルゲート側保持部５１５は、コルゲートチューブ５０７を全周（半周以上）収容するような深さに形成されている。
【０００３】
蓋部５１３がカバー本体５１１に対して正規の閉止状態に保持されると、図６に示すように、コルゲート側保持部５１５の開放部分が蓋部５１３によって塞がれる。これと同時に、カバー本体５１１及び蓋部５１３の係止部５１７がコルゲートチューブ５０７の溝部（外周溝）５１９に係止することで、コルゲートチューブ５０７が前後方向及び径方向へ抜け止め状態に強固に保持される。
【先行技術文献】
【特許文献】
【０００４】
【特許文献１】特開２００４−２６５７６５号公報
【発明の概要】
【発明が解決しようとする課題】
【０００５】
しかしながら、従来のカバー５０９は、適用最大径のコルゲートチューブ５０７に合わせて係止部５１７の円弧半径が決定されている。このため、最大径のコルゲートチューブ５０７使用時は、カバー５０９にがたつき無く組み付けできるが、小さな径のコルゲートチューブの使用時は、カバー５０９との間にクリアランスが発生してしまう。すると、振動等が加わった際にはコルゲートチューブがクリアランスの分だけ動いてしまい、電線５０５も同時に動いてしまう。更に、電線５０５の動きはコネクタハウジング内の端子の動きを招き、端子の接点摩耗を促進させてしまい接点部の接触信頼性が低下してしまうという問題があった。
【０００６】
本発明は上記状況に鑑みてなされたもので、その目的は、径の異なる複数種のコルゲートチューブをがたつき無く固定でき、コルゲートチューブのがたつきを発端とした電線の動きを誘発することがない電線カバーを提供することにある。
【課題を解決するための手段】
【０００７】
本発明に係る上記目的は、下記構成により達成される。
コネクタハウジングに装着されて前記コネクタハウジングから導出された電線を目的の方向に向けながら囲むカバー本体と、
前記カバー本体に一体形成されて前記電線を挿通する径の異なる複数種のコルゲートチューブの端部がそれぞれ固定される半円筒状のコルゲートチューブ固定部と、
前記コルゲートチューブ固定部の内周方向中央にてその内周方向に沿って突設されて小径の前記コルゲートチューブの外周溝に係合する第１係合突条と、
前記第１係合突条よりも大きい円弧径で前記コルゲートチューブ固定部の内周方向両端側にてその内周方向に沿って突設されて大径の前記コルゲートチューブの外周溝に係合する少なくとも二対の第２係合突条と、
前記コルゲートチューブ固定部の内周側に前記コルゲートチューブを緊締固定する結束部材と、を備え、
前記第１係合突条と前記第２係合突条とが、前記コルゲートチューブ固定部の同一内周方向に沿って突設され、且つ前記コルゲートチューブの軸線方向における異なる複数箇所にてその軸線方向において離散的にそれぞれ平行に設けられることを特徴とする電線カバー。
【０００８】
上記（１）の構成の電線カバーによれば、コルゲートチューブ固定部における第１係合突条の円弧径は小径のコルゲートチューブの外径と略同径とされるので、小径のコルゲートチューブが結束部材にてコルゲートチューブ固定部の内周側に緊締固定されると、第１係合突条がコルゲートチューブの外周溝に沿って係合する。コルゲートチューブの外周溝と係合第１係合突条との間にはクリアランスが生じず、小径のコルゲートチューブは軸方向及び径方向へ動くことはない。
また、コルゲートチューブ固定部における第２係合突条の円弧径は大径のコルゲートチューブの外径と略同径とされるので、大径のコルゲートチューブが結束部材にてコルゲートチューブ固定部の内周側に緊締固定されると、第２係合突条がコルゲートチューブの外周溝に沿って係合する。コルゲートチューブの外周溝と第２係合突条との間にはクリアランスが生じず、大径のコルゲートチューブも軸方向及び径方向へ動くことはない。
従って、コルゲートチューブ固定部には、径の異なる複数種のコルゲートチューブをそれぞれがたつき無く固定できる。
【００１０】
また、上記（１）の構成の電線カバーによれば、第１係合突条と第２係合突条とが、前記コルゲートチューブの軸線と直交する同一平面上に形成されるので、コルゲートチューブ固定部の軸線方向寸法をコンパクトにできる。
【００１２】
また、上記（１）の構成の電線カバーによれば、第１係合突条又は前記第２係合突条が、小径又は大径のコルゲートチューブの軸線に沿う複数箇所で外周溝に係合することができるので、１箇所で係合する場合に比べて係合代を増やし、コルゲートチューブを外れ難くすることができる。特に、半円筒状のコルゲートチューブ固定部における限られた内周方向領域に二対以上の第２係合突条が突設されることにより、それぞれの係合突条の内周方向長さが短くなって係合代が減る場合でも、コルゲートチューブの軸線に沿う複数箇所で外周溝に係合することで係合代を増やすことができる。
【発明の効果】
【００１３】
本発明に係る電線カバーによれば、径の異なる複数種のコルゲートチューブをがたつき無く固定でき、コルゲートチューブのがたつきを発端とした電線の動きを誘発することがない。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】本発明の一実施形態に係る電線カバーの斜視図である。
【図２】図１に示した電線カバーを電線導出側から見た正面図である。
【図３】図１に示した電線カバーがコネクタハウジングに装着されてコルゲートチューブを固定した状態の斜視図である。
【図４】（ａ）は小径のコルゲートチューブが第１係合突条に係合された電線カバーの正面図、（ｂ）は大径のコルゲートチューブが第２係合突条に係合された電線カバーの正面図である。
【図５】従来のカバーを備えたコネクタの斜視図である。
【図６】図５に示したカバーの蓋部を閉止した状態の断面図である。
【発明を実施するための形態】
【００１６】
以下、本発明に係る実施形態を図面を参照して説明する。
本実施形態に係る電線カバー１１は、図３に示すように、相手コネクタ５０との挿入力を低減するためのレバー１３を備えた例えば低挿入力コネクタ１５に適用することができる。
【００１７】
低挿入力コネクタ１５は、コネクタハウジング１７内に図示しない複数の端子を収容する。それぞれの端子には電線１９が接続され、電線１９は相手コネクタ５０との嵌合側と反対側のハウジング後部２１から導出される。電線カバー１１は、このハウジング後部２１に係止部２３を係止して装着され、電線１９を目的の方向に向けながら囲む。
【００１８】
本実施形態では、ハウジング後部２１から導出された複数の電線１９は、コネクタ嵌合方向（図３の上下方向）と直交する方向に曲げられた状態で電線カバー１１によって覆われる。つまり、電線カバー１１は、Ｌ字状に曲がった電線収容経路２５を有している（図１参照）。
【００１９】
図１に示すように、本実施形態の電線カバー１１は、コネクタハウジング１７に装着されて該コネクタハウジング１７から導出された電線１９を目的の方向に向けながら囲むカバー本体２７と、カバー本体２７に一体形成されて電線１９を挿通する径の異なる複数種（本実施形態では２種）のコルゲートチューブ４７，５１の端部がそれぞれ固定される半円筒状のコルゲートチューブ固定部３１と、コルゲートチューブ固定部３１の内周側に小径のコルゲートチューブ４７又は大径のコルゲートチューブ５１を緊締固定する結束バンド５３（図３参照）とを備える。
【００２０】
カバー本体２７は、ハウジング後部２１から導出された直後の電線１９を収容する基端側電線収容部２９と、基端側電線収容部２９に連設されて直交方向に曲げられた電線１９を収容する先端側電線収容部３３とを有する。
コルゲートチューブ固定部３１は、先端側とコネクタハウジング１７に対面する側とが開放された半円筒状に形成されている。コルゲートチューブ固定部３１の外周には、結束バンド５３を位置決めするための一対の平行な張出壁３５が形成される。
【００２１】
図２に示すように、コルゲートチューブ固定部３１の内周方向中央には、小径のコルゲートチューブ４７の外周溝３９に係合する第１係合突条４５が突設される。また、コルゲートチューブ固定部３１の内周方向両端側には、大径のコルゲートチューブ５１の外周溝３９に係合する一対の第２係合突条４９が突設される。本実施形態における第１係合突条４５と第２係合突条４９とは、コルゲートチューブ固定部３１の同一内周方向に沿って突設されている。
【００２２】
コルゲートチューブ固定部３１の内方を通る複数の電線１９は、一括してコルゲートチューブ４７又は５１に挿入される。つまり、複数の電線１９は、コルゲートチューブ４７又は５１によって保護される。
これらコルゲートチューブ４７,５１は、合成樹脂製とされ、外周に周方向の外周溝３９と突条部４１とを交互に配した蛇腹状をなすとともに可撓性を有しており、その軸線４３を湾曲させつつ撓み変形できるようになっている。このコルゲートチューブ４７又は５１によってハウジング後部２１から導出された電線１９の周りを囲むことで、電線１９が外部に剥き出しにならずに保護される。
【００２３】
そして、図４（ａ）に示すように、小径のコルゲートチューブ４７の外周溝３９の外径と略同径の円弧径Ｒ１を有する第１係合突条４５の内周縁は、小径のコルゲートチューブ４７の外周溝３９に沿って係合することができる。
また、図４（ｂ）に示すように、大径のコルゲートチューブ５１の外周溝３９の外径と略同径で第１係合突条４５よりも大きい円弧径Ｒ２を有する一対の第２係合突条４９の内周縁は、大径のコルゲートチューブ５１の外周溝３９に沿って係合することができる。
【００２４】
コルゲートチューブ固定部３１の外周方向の両端側には、結束バンド５３を通すバンド挿通穴５４が穿設されている。バンド挿通穴５４に挿通された結束バンド５３は、コルゲートチューブ固定部３１の内周側にコルゲートチューブ３７を緊締固定する。
結束バンド５３は、合成樹脂からなる可撓性を有する結束帯５５の基端に、係止片を内部に備えたバックル部５７を有する結束部材である。結束帯５５の表面には係止片に係止される複数の係止溝が長手方向に形成されている。結束バンド５３は、バックル部５７の貫通穴に結束帯５５の先端を通すことで、係止片によって抜けが規制され、ループ内に配置した複数部材（コルゲートチューブ固定部３１、コルゲートチューブ４７又は５１）の結束が可能となる。
【００２５】
次に、上記構成を有する電線カバー１１の作用を説明する。
上記構成を有する電線カバー１１では、図３に示した結束バンド５３にてコルゲートチューブ固定部３１の内側にコルゲートチューブ４７又は５１が固定される。
先ず、小径のコルゲートチューブ４７が結束バンド５３にてコルゲートチューブ固定部３１の内周側に緊締固定される際には、コルゲートチューブ固定部３１における第１係合突条４５の円弧径Ｒ１が小径のコルゲートチューブ４７の外周溝３９の外径と略同径とされているので、第１係合突条４５が小径のコルゲートチューブ４７の外周溝３９に沿って係合する（図４（ａ）参照）。そこで、小径のコルゲートチューブ４７の外周溝３９と第１係合突条４５との間にはクリアランスが生じず、小径のコルゲートチューブ４７は軸方向及び径方向へ動くことはない。
【００２６】
また、大径のコルゲートチューブ５１が結束バンド５３にてコルゲートチューブ固定部３１の内周側に緊締固定される際には、コルゲートチューブ固定部３１における第２係合突条４９の円弧径Ｒ２が大径のコルゲートチューブ５１の外周溝３９の外径と略同径とされているので、第２係合突条４９が大径のコルゲートチューブ５１の外周溝３９に沿って係合する（図４（ｂ）参照）。そこで、大径のコルゲートチューブ５１の外周溝３９と第２係合突条４９との間にはクリアランスが生じず、大径のコルゲートチューブ５１も軸方向及び径方向へ動くことはない。
【００２７】
従って、コルゲートチューブ固定部３１には、２種類の径の異なる大径のコルゲートチューブ５１と小径のコルゲートチューブ４７をそれぞれがたつき無く固定できる。
この結果、本実施形態の電線カバー１１は、コルゲートチューブ４７，５１のがたつきを発端とした電線１９の動きを誘発することがなく、コネクタハウジング１７内の端子接点部の接触信頼性を確保できる。
【００２８】
尚、上述した本実施形態の電線カバー１１においては、第１係合突条４５と第２係合突条４９とが、コルゲートチューブ４７，５１の軸線４３と直交する同一平面上に形成されるので、コルゲートチューブ固定部３１の軸線方向寸法をコンパクトにできる。勿論、本発明における第１係合突条４５と第２係合突条４９とは、コルゲートチューブ４７，５１の軸線４３に沿う方向にそれぞれオフセットして設けることもできる。
【００２９】
また、第１係合突条と第２係合突条とを、コルゲートチューブの軸線に沿う方向にそれぞれ平行に複数設けることにより、第１係合突条又は前記第２係合突条は、小径又は大径のコルゲートチューブの軸線に沿う複数箇所でそれぞれ外周溝に係合することができる。そこで、１箇所でそれぞれ外周溝に係合する場合に比べて係合代を増やし、コルゲートチューブを外れ難くすることができる。
【００３０】
例えば、半円筒状のコルゲートチューブ固定部における限られた内周方向領域に二対以上の第２係合突条を突設し、３種類以上の径の異なるコルゲートチューブを固定可能とする場合には、それぞれの係合突条の内周方向長さが短くなって係合代が減るので、上記の如く第１係合突条と第２係合突条とは、コルゲートチューブの軸線に沿う方向にそれぞれ平行に複数設けられることが望ましい。
【００３１】
なお、本発明の電線カバーは、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
例えば、上記実施形態においては結束部材として合成樹脂製の結束バンド５３を用いたが、コルゲートチューブをコルゲートチューブ固定部に緊締固定できるものであれば、薄板金属製のスチールバンドや粘着テープ等の公知の種々の結束部材を用いることができることは云うまでもない。
【符号の説明】
【００３２】
１１…電線カバー
１７…コネクタハウジング
１９…電線
２７…カバー本体
３１…コルゲートチューブ固定部
４３…軸線
４５…第１係合突条
４７…小径のコルゲートチューブ
４９…第２係合突条
５１…大径のコルゲートチューブ
５３…結束バンド（結束部材）
【図１】
0005934500.tif 000002
【図２】
0005934500.tif 000003
【図３】
0005934500.tif 000004
【図４】
0005934500.tif 000005
【図５】
0005934500.tif 000006
【図６】
0005934500.tif 000007